【手続補正書】
【提出日】平成19年10月23日(2007.10.23)
【手続補正１】
【補正対象書類名】明細書
【補正対象項目名】特許請求の範囲
【補正方法】変更
【補正の内容】
【特許請求の範囲】    【請求項１】感光体ドラムに形成された静電潜像を現像するスリーブユニットであって、中空の非磁性金属シリンダである現像スリーブと、前記現像スリーブの内部の固定されたマグネットと、前記現像スリーブを現像容器に位置決めするための、駆動側に設けられた駆動側揺動アームと、前記現像スリーブを現像容器に位置決めするための、非駆動側に設けられた非駆動側揺動アームと、有するスリーブユニットを、前記現像容器に取り付けるスリーブユニット取付方法において、（ａ）前記現像容器の長手方向の両端に、前記スリーブユニットの長さよりも長い間隔で設けられた２つの現像容器壁との間に、前記スリーブユニットを移動させ、前記現像容器に設けられた取付溝に前記駆動側揺動アーム及び前記非駆動側揺動アームを係合させ、前記現像容器に設けられた端部シールに、前記現像容器壁に設けられた支持穴と前記マグネットの軸とが略同軸となるように前記現像スリーブを接触させて仮位置決めし、（ｂ）前記仮位置決めの後に、前記現像スリーブを前記長手方向の駆動側にスライド移動させ、前記支持穴の一方に前記マグネットの一方の軸を嵌合させ、（ｃ）前記支持穴の他方の外側より支持部材を挿入し、前記支持部材に設けられた穴と、前記マグネットの他方の軸とを嵌合させる、ことを特徴とするスリーブユニット取付方法。    【請求項２】前記スリーブユニットは、前記現像スリーブと前記駆動側揺動アームとの間に、前記現像スリーブと前記感光体ドラムとの隙間規制をおこなう駆動側スペーサと、前記現像スリーブと前記非駆動側揺動アームとの間に、前記現像スリーブと前記感光体ドラムとの隙間規制をおこなう非駆動側スペーサと、を有し、前記仮位置決めの状態では、前記非駆動側スペーサは、前記現像スリーブ及び前記非駆動側揺動アームと接触し、  前記現像スリーブを前記長手方向の駆動側にスライド移動させた状態では、前記駆動側スペーサは、前記現像スリーブ及び前記駆動側揺動アームと接触し、前記非駆動側スペーサと前記非駆動側揺動アームとの間に隙間を生じさせ、その後、前記現像スリーブを保護する保護カバーを前記現像容器に取り付けることによって、前記保護カバーに設けられたリブが前記隙間に挿入し、前記現像スリーブの長手方向の位置決めをすることを特徴とする請求項１に記載のスリーブユニット取付方法。【手続補正２】
【補正対象書類名】明細書
【補正対象項目名】発明の名称
【補正方法】変更
【補正の内容】
【発明の名称】スリーブユニット取付方法【手続補正３】
【補正対象書類名】明細書
【補正対象項目名】０００６
【補正方法】変更
【補正の内容】
【０００６】【課題を解決するための手段】  上記課題を解決するために本発明に係るスリーブユニット取付方法は、感光体ドラムに形成された静電潜像を現像するスリーブユニットであって、中空の非磁性金属シリンダである現像スリーブと、前記現像スリーブの内部の固定されたマグネットと、前記現像スリーブを現像容器に位置決めするための、駆動側に設けられた駆動側揺動アームと、前記現像スリーブを現像容器に位置決めするための、非駆動側に設けられた非駆動側揺動アームと、有するスリーブユニットを、前記現像容器に取り付けるスリーブユニット取付方法において、（ａ）前記現像容器の長手方向の両端に、前記スリーブユニットの長さよりも長い間隔で設けられた２つの現像容器壁との間に、前記スリーブユニットを移動させ、前記現像容器に設けられた取付溝に前記駆動側揺動アーム及び前記非駆動側揺動アームを係合させ、前記現像容器に設けられた端部シールに、前記現像容器壁に設けられた支持穴と前記マグネットの軸とが略同軸となるように前記現像スリーブを接触させて仮位置決めし、（ｂ）前記仮位置決めの後に、前記現像スリーブを前記長手方向の駆動側にスライド移動させ、前記支持穴の一方に前記マグネットの一方の軸を嵌合させ、（ｃ）前記支持穴の他方の外側より支持部材を挿入し、前記支持部材に設けられた穴と、前記マグネットの他方の軸とを嵌合させる、ことを特徴とする。【手続補正４】
【補正対象書類名】明細書
【補正対象項目名】０００７
【補正方法】変更
【補正の内容】
【０００７】【発明の実施の形態】［第一実施形態］  本発明に係るスリーブユニット取付方法の第一実施形態について、図を用いて説明する。図１は画像形成装置の縦断面図、図２はプロセスカートリッジの縦断面図、図３は現像スリーブの支持構成を示す縦断面図、図４は現像容器を下方向から見た斜視図、図５は現像スリーブの取付途中を示す断面図、図６は現像スリーブの組立後の断面図である。【手続補正５】
【補正対象書類名】明細書
【補正対象項目名】００１６
【補正方法】変更
【補正の内容】
【００１６】  図４に示すように、スリーブユニット21は、現像剤担持体スリーブである現像スリーブ24と、該現像スリーブ24の両端に設けられ、スリーブ表面と感光体ドラム15の隙間規制をおこなう駆動側スペーサ19及び非駆動側スペーサ20と、現像スリーブ24を現像容器22に位置決めする揺動アーム（駆動側揺動アーム、非駆動側揺動アーム）38と、スリーブギア36から構成される。揺動アーム38は、該駆動側スペーサ19及び非駆動側スペーサ20の外側に設けられ、スリーブギア36は、駆動側スペーサ19側の揺動アーム38の外側に挿入配置されている。【手続補正６】
【補正対象書類名】明細書
【補正対象項目名】００２１
【補正方法】変更
【補正の内容】
【００２１】  次に、現像スリーブの取付方法について説明する。図４に示すように、現像容器22は、長手方向の駆動伝達側と非駆動側の両端に、突き当て側現像容器壁30と現像容器壁31を設けている。この突き当て側現像容器壁30と現像容器壁31の間隔はスリーブユニット21の全長よりも長くなっている。スリーブユニット21を２つの現像容器壁に当たらないように移動して、揺動アーム38が現像容器22の揺動アーム取付溝34に係合するように仮取り付けする。現像スリーブ24は現像容器22に貼付けてある現像端部シール35に圧接し、スリーブユニット21の軸中心と突き当て側現像容器壁30のマグネット軸支持穴30ａがほぼ同軸に仮位置決めされる。【手続補正７】
【補正対象書類名】明細書
【補正対象項目名】００２３
【補正方法】変更
【補正の内容】
【００２３】  次にスライド移動について説明する。図６に示すように、現像スリーブ24を現像容器22と揺動アーム38に対して長手方向の駆動側にスライド移動させると、マグネット軸33と現像容器22のマグネット軸支持穴30ａが略同軸となるように配置されているので、マグネット軸33が突き当て側現像容器壁30のマグネット軸支持穴30ａに容易に嵌入される。現像スリーブ24をスライド移動すると、駆動側スペーサ19が揺動アーム38とスリーブ段差でほぼ密着し、非駆動側スペーサ20は揺動アーム38とスリーブ段差の間で隙間が発生する。非駆動側スペーサ20は長手方向に移動可能なため、スリーブユニット21を取り付けた後に現像スリーブ24を保護するスリーブカバー（保護カバー）を装着し、該スリーブカバーに設けられたリブにより非駆動側スペーサ20を位置決めする。【手続補正８】
【補正対象書類名】図面
【補正対象項目名】図２
【補正方法】変更
【補正の内容】
【図２】2002132047.tif 000001
【手続補正９】
【補正対象書類名】図面
【補正対象項目名】図６
【補正方法】変更
【補正の内容】
【図６】2002132047.tif 000002